(57)【要約】【課題】雄コネクタおよび雌コネクタのいずれに短絡端子が配された場合でも、短絡状態を解除可能な雄コネクタを提供する。【解決手段】雌コネクタ１２が備える複数の雌端子１４と接続する複数の雄端子１６を備える雄コネクタ１１であって、雌コネクタ１２が内部に嵌め合わされるフード部２３と、前記フード部２３内に配されるとともに前記雌コネクタ１２と係わり合う係合部４２を有する可動部材３８と、を有し、前記可動部材３８は、前記複数の雄端子１６または前記複数の雌端子１４に設けられ前記複数の雄端子１６または前記複数の雌端子１４を短絡させる短絡端子２８に接触して短絡を解除させる解除部材４７を有する、雄コネクタ１１。【選択図】図２
2020149869.tif 000002
【特許請求の範囲】
【請求項１】
雌コネクタが備える複数の雌端子と接続する複数の雄端子を備える雄コネクタであって、
雌コネクタが内部に嵌め合わされるフード部と、前記フード部内に配されるとともに前記雌コネクタと係わり合う係合部を有する可動部材と、を有し、
前記可動部材は、前記複数の雄端子または前記複数の雌端子に設けられ前記複数の雄端子または前記複数の雌端子を短絡させる短絡端子に接触して短絡を解除させる解除部材を有する、雄コネクタ。
【請求項２】
前記複数の雄端子と接触して前記複数の雄端子を短絡させる前記短絡端子を有する、請求項１に記載の雄コネクタ。
【請求項３】
前記可動部材は、前記フード部内に配された前記雄端子の位置決めをするムービングプレートである、請求項１または請求項２に記載の雄コネクタ。
【請求項４】
前記解除部材は、前記雄コネクタと前記雌コネクタとが嵌め合わされる嵌合方向に沿って移動可能な状態で前記可動部材に配されている、請求項１から請求項３のいずれか1項に記載の雄コネクタ。
【請求項５】
前記雄コネクタには、前記可動部材と対向する領域に、前記解除部材が挿通される雄側挿通孔が貫通されており、
前記可動部材には、前記雄側挿通孔に対応する位置に、前記解除部材が挿通される解除部材挿通孔が貫通されており、
前記雄側挿通孔の孔縁部には傾斜面を有する雄側ガイド凹部が設けられており、前記解除部材挿通孔の孔縁部には前記傾斜面に対応する形状を有して前記雄側ガイド凹部に嵌る雄側ガイド凸部が設けられている、請求項１から請求項４のいずれか１項に記載の雄コネクタ。
【請求項６】
請求項１から請求項５のいずれか１項に記載の雄コネクタと、前記雄コネクタに嵌め合わされる雌コネクタと、を備えたコネクタ。
【請求項７】
前記雌コネクタは、前記複数の雌端子と接触して前記複数の雌端子を短絡させる前記短絡端子を有する、請求項６に記載のコネクタ。
【請求項８】
前記雌コネクタには、前記可動部材と対向する領域に、前記解除部材が挿通される雌側挿通孔が貫通されており、
前記可動部材には、前記雌側挿通孔に対応する位置に、前記解除部材が挿通される解除部材挿通孔が貫通されており、
前記雌側挿通孔の孔縁部には傾斜面を有する雌側ガイド凹部が設けられており、前記解除部材挿通孔の孔縁部には前記傾斜面に対応する形状を有して前記雌側ガイド凹部に嵌る雌側ガイド凸部が設けられている、請求項６または請求項７に記載のコネクタ。
【発明の詳細な説明】
【技術分野】
【０００１】
本開示は、雄コネクタ、およびコネクタに関する。
【背景技術】
【０００２】
特開２０１１−４９０４３号公報には、例えばエアバッグ用の回路に用いられるコネクタが開示されている。このコネクタは、雄端子を有する雄コネクタと、雌端子を有する雌コネクタとを備える。雌コネクタは複数の雌端子を有する。隣り合う雌端子同士は、雌コネクタに配された短絡端子によって電気的に短絡される。
【０００３】
雄コネクタは、雌コネクタが内側に嵌め合わされる嵌合凹部を有する。嵌合凹部内には、雄端子の雄タブと、短絡解除バーと、が配されている。短絡解除バーは、短絡端子と接触して短絡端子を変形させることにより隣り合う雌端子同士の短絡状態を解除する。雄コネクタの嵌合凹部内に雌コネクタを嵌め合わせると、雄端子と雌端子とが電気的に接続されるとともに、隣り合う雌端子同士の短絡状態が解除される。
【先行技術文献】
【特許文献】
【０００４】
【特許文献１】特開２０１１−４９０４３号公報
【発明の概要】
【発明が解決しようとする課題】
【０００５】
上記のコネクタとは異なって、雄コネクタに短絡端子が配設されることにより、複数の雄端子同士を短絡端子によって短絡させることが考えられる。この場合、雌コネクタに、短絡端子と係わり合って雄端子同士の短絡状態を解除するための解除部材を設けることが考えられる。
【０００６】
しかし、雌コネクタは、雄コネクタが有するような嵌合凹部を備えていないので、雌コネクタに解除部材を保護する構造を設けることは困難であった。
【０００７】
本開示は上記のような事情に基づいて完成されたものであって、雄コネクタおよび雌コネクタのいずれに短絡端子が配された場合でも、短絡状態を解除可能な雄コネクタを提供することを目的とする。
【課題を解決するための手段】
【０００８】
本開示は、雌コネクタが備える複数の雌端子と接続する複数の雄端子を備える雄コネクタであって、雌コネクタが内部に嵌め合わされるフード部と、前記フード部内に配されるとともに前記雌コネクタと係わり合う係合部を有する可動部材と、を有し、前記可動部材は、前記複数の雄端子または前記複数の雌端子に設けられ前記複数の雄端子または前記複数の雌端子を短絡させる短絡端子に接触して短絡を解除させる解除部材を有する。
【発明の効果】
【０００９】
本開示によれば、雄コネクタおよび雌コネクタのいずれに短絡端子が配された場合でも、短絡状態を解除可能な解除部材を雄コネクタに配設できる。
【図面の簡単な説明】
【００１０】
【図１】図１は、実施形態１にかかるコネクタについて、雄コネクタと雌コネクタが離間した状態を示す斜視図である。
【図２】図２は、雄コネクタと雌コネクタとが離間した状態を示す断面図である。
【図３】図３は、短絡端子を示す斜視図である。
【図４】図４は、ムービングプレートを示す一部拡大断面図である。
【図５】図５は、解除部材を示す斜視図である。
【図６】図６は、雄コネクタと雌コネクタとを嵌め合わせる工程を示す一部拡大断面図である。
【図７】図７は、雄コネクタと雌コネクタとを嵌め合わせる工程を示す一部拡大断面図である。
【図８】図８は、雄コネクタと雌コネクタとを嵌め合わせる工程を示す一部拡大断面図である。
【図９】図９は、雄コネクタと雌コネクタとが嵌め合わされた状態を示す一部拡大断面図である。
【図１０】図１０は、実施形態２にかかるコネクタについて、雄コネクタと雌コネクタとが離間した状態を示す断面図である。
【図１１】図１１は、雄コネクタと雌コネクタとを嵌め合わせる工程を示す一部拡大断面図である。
【図１２】図１２は、雄コネクタと雌コネクタとを嵌め合わせる工程を示す一部拡大断面図である。
【図１３】図１３は、雄コネクタと雌コネクタとを嵌め合わせる工程を示す一部拡大断面図である。
【図１４】図１４は、雄コネクタと雌コネクタとが嵌め合わされた状態を示す一部拡大断面図である。
【発明を実施するための形態】
【００１１】
［本開示の実施形態の説明］
最初に本開示の実施態様が列挙されて説明される。
【００１２】
（１）本開示は、雌コネクタが備える複数の雌端子と接続する複数の雄端子を備える雄コネクタであって、雌コネクタが内部に嵌め合わされるフード部と、前記フード部内に配されるとともに前記雌コネクタと係わり合う係合部を有する可動部材と、を有し、前記可動部材は、前記複数の雄端子または前記複数の雌端子に設けられ前記複数の雄端子または前記複数の雌端子を短絡させる短絡端子に接触して短絡を解除させる解除部材を有する。
【００１３】
上記の構成によれば、フード部によって解除部材を保護することができる。これにより、雄コネクタおよび雌コネクタのいずれに短絡端子が配された場合でも、短絡状態を解除する解除部材を雄コネクタに配設できる。。
【００１４】
（２）雄コネクタは、前記複数の雄端子と接触して前記複数の雄端子を短絡させる前記短絡端子を有する。このように雄コネクタに短絡端子が配されて複数の雄端子同士が短絡された場合でも、複数の雄端子の短絡状態を解除する解除部材を雄コネクタに配設できる。
【００１５】
（３）前記可動部材は、前記フード部内に配された前記雄端子の位置決めをするムービングプレートであることが好ましい。
【００１６】
上記の構成によれば、可動部材とムービングプレートとを１つの部材で兼ねることができるので、解除部材をムービングプレートと異なる部材に配設する場合に比べて部品点数を減少させられる。
【００１７】
（４）前記解除部材は、前記雄コネクタと前記雌コネクタとが嵌め合わされる嵌合方向に沿って移動可能な状態で前記可動部材に配されていることが好ましい。
【００１８】
上記の構成によれば、解除部材の移動量を調整することにより、解除部材と短絡端子とが接触するタイミングを容易に調整することができる。
【００１９】
（５）前記雄コネクタには、前記可動部材と対向する領域に、前記解除部材が挿通される雄側挿通孔が貫通されており、前記可動部材には、前記雄側挿通孔に対応する位置に、前記解除部材が挿通される解除部材挿通孔が貫通されており、前記雄側挿通孔の孔縁部には傾斜面を有する雄側ガイド凹部が設けられており、前記解除部材挿通孔の孔縁部には前記傾斜面に対応する形状を有して前記雄側ガイド凹部に嵌る雄側ガイド凸部が設けられていることが好ましい。
【００２０】
上記の構成によれば、雄側ガイド凹部に雄側ガイド凸部が嵌ることにより、雄側挿通孔と解除部材挿通孔とが整合するようになっている。これにより、解除部材は、解除部材挿通孔、および雄側挿通孔内をスムーズに移動できる。
【００２１】
（６）本開示にかかるコネクタは、上記（１）から（５）のいずれか１つに記載の雄コネクタと、前記雄コネクタに嵌め合わされる雌コネクタと、を備える。
【００２２】
上記の構成によれば、短絡端子が配された雄コネクタを備えたコネクタを得ることができる。
【００２３】
（７）雌コネクタは、前記複数の雌端子と接触して前記複数の雌端子を短絡させる前記短絡端子を有する。このように雌コネクタに短絡端子が配されて複数の雌端子同士が短絡された場合でも、複数の雌端子の短絡状態を解除する解除部材を雄コネクタに配設できる。
【００２４】
（８）前記雌コネクタには、前記可動部材と対向する領域に、前記解除部材が挿通される雌側挿通孔が貫通されており、前記可動部材には、前記雌側挿通孔に対応する位置に、前記解除部材が挿通される解除部材挿通孔が貫通されており、前記雌側挿通孔の孔縁部には傾斜面を有する雌側ガイド凹部が設けられており、前記解除部材挿通孔の孔縁部には前記傾斜面に対応する形状を有して前記雌側ガイド凹部に嵌る雌側ガイド凸部が設けられていることが好ましい。
【００２５】
上記の構成によれば、雌側ガイド凹部に雌側ガイド凸部が嵌ることにより、雌側挿通孔と解除部材挿通孔とが整合するようになっている。これにより、解除部材は、解除部材挿通孔、および雌側挿通孔内をスムーズに移動できる。
【００２６】
［本開示の実施形態の詳細］
以下に、本開示の実施形態が説明される。本発明はこれらの例示に限定されるものではなく、特許請求の範囲によって示され、特許請求の範囲と均等の意味および範囲内での全ての変更が含まれることが意図される。
【００２７】
＜実施形態１＞
本開示の実施形態１が図１から図９を参照しつつ説明される。本実施形態にかかるコネクタ１０は、例えば自動車に搭載されて、エアバッグ用コネクタとして使用される。図１に示されるように、コネクタ１０は、雄コネクタ１１と、雄コネクタ１１に嵌め合わされる雌コネクタ１２と、を備える。
【００２８】
以下の記載は、Ｚ方向を上方とし、Ｙ方向を前方とし、Ｘ方向を左方として説明される。複数の同一部材については、一部の部材にのみ符号を付して、他の部材については符号を省略する場合がある。
【００２９】
［雌コネクタ１２］
雌コネクタ１２が説明される（図１参照）。雌コネクタ１２は絶縁性の合成樹脂を含む材料が射出成型されて形成されている。雌コネクタ１２はブロック状をなしている。雌コネクタ１２には複数（本実施形態では２４個）の雌キャビティ１３が上下方向および左右方向に並んで形成されている。雌キャビティ１３内には雌端子１４が配されている。なお、本明細書に添付した図面においては、最下段の雌キャビティ１３と異なる雌キャビティ１３に配された雌端子１４は省略されている。
【００３０】
雌端子１４は、後述する雄タブ１５が挿入されることにより雄端子１６と電気的に接続される接続筒部２５を有する（図２参照）。雌端子１４のうち接続筒部２５と反対側の端部（前端部）は電線１７と電気的に接続されている。
【００３１】
図１に示されるように、雌コネクタ１２の後面には、雌コネクタ１２の外形状よりもやや小さな雌ストッパ１８が、雌コネクタ１２の後面をほぼ覆うように組み付けられている。雌コネクタ１２の後部には、右下隅部に配された左右方向に並ぶ２つの雌キャビティ１３の上方の位置に雌側凹部１９が形成されている。雌ストッパ１８には、雌側凹部１９に対応する位置に、前後方向に貫通する雌側挿通孔２０が形成されている。雌側挿通孔２０の孔縁部には、後方に拡開する傾斜面を有する雌側ガイド凹部２１が形成されている。
【００３２】
図１に示されるように、雌コネクタ１２の左右両側部には、それぞれ、左右方向の外方に突出する被係合部２２が形成されている。被係合部２２は断面形状がトラック形状をなしている。トラック形状とは、平行な２本の直線の両端部が円弧の一部で連結された形状である。
【００３３】
［雄コネクタ１１］
次に、雄コネクタ１１が説明される（図２参照）。雄コネクタ１１は絶縁性の合成樹脂を含む材料が射出成型されることによって形成されている。雄コネクタ１１の前半領域は、前方に開口するフード部２３となっている。フード部２３の内形状は、雌コネクタ１２の外形状よりもやや大きく形成されている。フード部２３の内部に、雌コネクタ１２が嵌り込むようになっている。本実施形態においては、前後方向が、雄コネクタ１１と雌コネクタ１２とが嵌り合う嵌合方向の一例とされる。
【００３４】
雄コネクタ１１には、複数（本実施形態では２４個）の雄キャビティ２４が上下方向、および左右方向に並んで形成されている。雄キャビティ２４内には雄端子１６が配されている。なお、本明細書に添付した図面においては、最下段の雄キャビティ２４と異なる雄キャビティ２４に配された雄端子１６は省略されている。
【００３５】
雄端子１６は前方に延びる雄タブ１５を有する。雄タブ１５は、雌端子１４に設けられた接続筒部２５内に挿入されるようになっている。雄端子１６のうち雄タブ１５と反対側の端部（後端部）は電線１７と電気的に接続されている。
【００３６】
雄コネクタ１１には、フード部２３の開口方向（前方）と反対側の位置に後壁２６が設けられている。後壁２６には、後壁２６の前面をほぼ覆う雄ストッパ２７が組み付けられている。後壁２６の前面には、右下隅部に配された左右方向に並ぶ２つの雄キャビティ２４の上方の位置に、左右方向に隣り合う２つの雄端子１６を短絡させる短絡端子２８が配される雄側凹部２９が形成されている。
【００３７】
短絡端子２８は、雄ストッパ２７に後方から突き当たることにより、前止まり状態で雄側凹部２９内に保持されている。雄ストッパ２７には、雄側凹部２９に対応する位置に、前後方向に貫通する雄側挿通孔３０が形成されている。雄側挿通孔３０の孔縁部には、前方に拡開する傾斜面を有する雄側ガイド凹部３１が形成されている。
【００３８】
図３に示されるように、短絡端子２８は、金属板材が所定の形状にプレス加工されることにより形成される。金属板材としては、銅、銅合金、アルミニウム、アルミニウム合金等、任意の金属を適宜に選択できる。短絡端子２８の表面には、スズ、ニッケル等のメッキ層が形成されていてもよい。
【００３９】
短絡端子２８は、上方から見て左右方向に延びたほぼ長方形状をなす基板３２と、基板３２の後端縁のうち左右両端部寄りの位置から下方に屈曲するとともに前方に折り返された２つの接触片３３と、を有する。接触片３３は、側方から見て下方に谷形状に屈曲している。接触片３３の下端部が雄端子１６と弾性的に接触することにより、接触片３３を介して、左右方向に隣り合う雄端子１６同士が電気的に接続されるようになっている。このように短絡端子２８は左右方向に隣り合う雄端子１６に接触するように設けられている。接触片３３の先端部は斜め前上方に延びている。これにより、後述する絶縁部４８の上に、接触片３３が乗りあがりやすくなっている。
【００４０】
図１に示されるように、雄コネクタ１１の左右両側壁には、左右方向について外方に突出する軸部３４が形成されている。軸部３４には、軸部３４を中心として回転可能なレバー３５が取り付けられている。レバー３５は、一対の側板３６を有する。
【００４１】
各側板３６には、左右方向の内面に、カム溝３７が形成されている。カム溝３７は前後方向に延びて形成されている。カム溝３７の前端部は側板３６の前縁部において開口している。カム溝３７の後端部は軸部３４の近傍の位置まで延びている。カム溝３７の前端部と軸部３４との距離は、カム溝３７の後端部と軸部３４との距離よりも大きい。
【００４２】
［ムービングプレート３８］
図２に示されるように、ムービングプレート３８（可動部材の一例）は絶縁性の合成樹脂を含む材料が射出成型されて形成される。ムービングプレート３８はフード部２３内に配置され、各雄端子１６を上下方向、および左右方向において位置決めする。ムービングプレート３８は、フード部２３内で前後方向へ移動できるようになっている。ムービングプレート３８は、板状をなすほぼ長方形状の本体部３９と、本体部３９の周縁から前方へ延びるほぼ角筒状の周壁部４０とを備える。雄コネクタ１１と雌コネクタ１２とが嵌め合わされる状態において、周壁部４０の外周面がフード部２３の内周面に摺接して前後方向に移動するようになっている。
【００４３】
周壁部４０の左右両側面には、それぞれ、上下方向の中央付近に、前後方向に延びて周壁部４０の前端縁に開口する導入溝４１が形成されている。導入溝４１は被係合部２２を受け入れ可能に形成されている。周壁部４０の左右両側面には、係合部４２が導入溝４１を跨ぐようにして外方に突出して形成されている。係合部４２は、前方から見るとほぼ門形をなし、その内側に被係合部２２を挿入可能としている。係合部４２は、係合部４２の内側に被係合部２２が入り込んだ状態で、レバー３５のカム溝３７の内部に嵌り込むようになっている。
【００４４】
係合部４２の内側に被係合部２２が入り込んだ状態においては、係合部４２と被係合部２２とは相互に係わり合っている。係合部４２および被係合部２２の一方に対して、他方に接触する方向の力が加えられた場合には、係合部４２と被係合部２２とは互いに接触するようになっている。係合部４２および被係合部２２の一方に対して、他方に接触する方向の力が加えられない場合には、係合部４２と被係合部２２とは互いに接触していてもよいし、離間していてもよい。このように係合部４２と被係合部２２とが係わり合うことにより、レバー３５の回転に伴い、雌コネクタ１２とムービングプレート３８が一体となって前後方向に移動するようになっている。
【００４５】
本体部３９には、各雄端子１６の雄タブ１５が挿通される位置決め孔４３が整列して貫通されている。本体部３９には、雄ストッパ２７に形成された雄側挿通孔３０、および雌ストッパ１８に形成された雌側挿通孔２０に対応する位置に、解除部材挿通孔４４が前後方向に貫通されている。
【００４６】
図４に示されるように、本体部３９の後面には、解除部材挿通孔４４の孔縁部に、後方に突出する雄側ガイド凸部４５が形成されている。雄側ガイド凸部４５の外面には、後方に向かうに従って先細り形状をなす傾斜面が形成されている。雄側ガイド凸部４５の外形状は、雄ストッパ２７に形成された雄側ガイド凹部３１の内形状と実質的に同じに形成されている。実質的に同じとは、同じ場合を含むとともに、同じでない場合であっても実質的に同じと認定できる場合も含む。雄側ガイド凸部４５は雄側ガイド凹部３１の内部に嵌り込むようになっている。
【００４７】
本体部３９の前面には、解除部材挿通孔４４の孔縁部に、前方に突出する雌側ガイド凸部４６が形成されている。雌側ガイド凸部４６の外面には、前方に向かうに従って先細り形状をなす傾斜面が形成されている。雌側ガイド凸部４６の外形状は、雌ストッパ１８に形成された雌側ガイド凹部２１の内形状と実質的に同じに形成されている。実質的に同じとは、同じ場合を含むとともに、同じでない場合であっても実質的に同じと認定できる場合も含む。雌側ガイド凸部４６は雌側ガイド凹部２１の内部に嵌り込むようになっている。
【００４８】
［解除部材４７］
図２に示されるように、本体部３９の解除部材挿通孔４４には、解除部材４７が前後方向に移動可能に挿通されている。解除部材４７は、絶縁性の合成樹脂を含む材料が射出成型されて形成される。解除部材４７は、上下方向について扁平な形状をなすとともに、前後方向に延びた形状をなしている。
【００４９】
図５に示されるように、解除部材４７の左右両側部は、短絡端子２８の接触片３３と接触する絶縁部４８とされる。絶縁部４８は、接触片３３と接触して接触片３３を雄端子１６と離間する方向に変形させる。更に絶縁部４８は、接触片３３と雄端子１６との間に挿入されることにより、接触片３３と雄端子１６との短絡状態を解除するようになっている。絶縁部４８の上面のうち、前端縁および後端縁には傾斜面が形成されており、接触片３３が絶縁部４８の上面に乗りあがりやすくなっている。
【００５０】
解除部材４７の上面には、左右方向について中央付近に、上方に突出するとともに前後方向に延びるレール部４９が形成されている。レール部４９が本体部３９の解除部材挿通孔４４の内面に摺接することにより、解除部材４７が前後方向に移動可能にガイドされる。レール部４９の前後方向の両端部寄りの位置には、左右方向に貫通する撓み空間５０が形成されている。レール部４９のうち、撓み空間５０の上方の部分は、下方に撓み変形可能な撓み部５１とされる。撓み部５１の上面には上方に突出する係止爪５２が形成されている。
【００５１】
本体部３９の解除部材挿通孔４４に、解除部材４７を前方又は後方から挿入する。すると、解除部材挿通孔４４の孔縁部に係止爪５２が接触することにより、撓み部５１が下方に撓み変形する。
【００５２】
更に解除部材４７を解除部材挿通孔４４に挿入すると、撓み部５１が復帰変形する。すると、係止爪５２が解除部材挿通孔４４の孔縁部に接触することにより、解除部材４７は、前後方向に移動可能な状態で解除部材挿通孔４４内に配置される。解除部材４７の前後方向の移動距離は、２つの係止爪５２の前後方向についての間隔となっている。
【００５３】
［雄コネクタ１１と雌コネクタ１２との嵌め合わせ工程］
続いて、雄コネクタ１１と雌コネクタ１２との嵌め合わせ工程の一例が説明される。雄コネクタ１１と雌コネクタ１２との嵌め合わせ工程は以下の記載に限定されない。
【００５４】
図２には、雄コネクタ１１と雌コネクタ１２とが前後方向について離間している状態が示される。雄コネクタ１１に配された短絡端子２８の接触片３３は、雄端子１６の上壁に上方から接触している。これにより、左右方向に隣り合う雄端子１６同士が電気的に接続され、短絡されている。
【００５５】
図６には、雌コネクタ１２が後方に移動して、雌コネクタ１２とムービングプレート３８とが接触している状態が示される。詳細には図示されないが、雌コネクタ１２の被係合部２２はムービングプレート３８の係合部４２の内側に嵌り込んでいる。
【００５６】
雌コネクタ１２の雌側凹部１９の内壁と、解除部材４７の前端部とは離間している。雄コネクタ１１の雄ストッパ２７と、解除部材４７の後端部とは離間している。雄タブ１５の先端は雌コネクタ１２と離間している。短絡端子２８の接触片３３は雄端子１６の上壁と接触している。
【００５７】
図７には、レバー３５が軸部３４を中心に回動されることにより、雌コネクタ１２およびムービングプレート３８が後方にやや移動した状態が示される。雌コネクタ１２の雌側凹部１９の内壁に、解除部材４７の前端部が接触している。解除部材４７の後端部は、雄ストッパ２７の内側に入り込んでいる。解除部材４７の後端部は、短絡端子２８の接触片３３と離間している。短絡端子２８の接触片３３は雄端子１６の上壁に接触している。雄端子１６に設けられた雄タブ１５の先端は、雌端子１４の接続筒部２５の内部にわずかに入っている。
【００５８】
図８には、レバー３５が更に回転されて、雌コネクタ１２およびムービングプレート３８がフード部２３の後方に更に移動した状態が示される。雌コネクタ１２の雌側凹部１９の内壁に、解除部材４７の前端部が接触している。これにより、雌コネクタ１２およびムービングプレート３８が後方に移動することに伴って、解除部材４７が雌コネクタ１２に押されて後方に移動する。解除部材４７のうち雌コネクタ１２側の端部は、雄ストッパ２７を貫通して、短絡端子２８の接触片３３に前方から接触する。雄タブ１５は接続筒部２５の内部に挿入されている。これにより、雄端子１６と雌端子１４とが電気的に接続される。短絡端子２８の接触片３３は雄端子１６の上壁に接触しており、隣り合う雄端子１６同士は、まだ電気的に短絡されている。
【００５９】
図９には、レバー３５が更に回転されて、雄コネクタ１１と雌コネクタ１２とが完全に嵌め合わされた状態が示される。解除部材４７の後端部は、短絡端子２８の接触片３３と接触して接触片３３を上方に撓み変形させている。これにより接触片３３は雄端子１６と離間している。この結果、左右方向に隣り合う雄端子１６同士は電気的に接続されていない状態になっている。
【００６０】
更に、解除部材４７の絶縁部４８は、接触片３３と雄端子１６との間に介在している。これにより、接触片３３と雄端子１６とが電気的に絶縁されている。この結果、左右方向に隣り合う雄端子１６同士は電気的に絶縁される。
【００６１】
上記したように、雄タブ１５が接続筒部２５内に挿入されることで雄端子１６と雌端子１４とは電気的に接続されているので、左右方向に隣り合う雄端子１６同士が確実に絶縁された状態で、雄端子１６と雌端子１４とが電気的に接続されている。
【００６２】
［本実施形態の作用効果］
続いて、本実施形態の作用効果が説明される。本実施形態にかかる雄コネクタ１１は、雌コネクタ１２が備える複数の雌端子１４と接続する複数の雄端子１６を備える雄コネクタ１１であって、雌コネクタ１２が内部に嵌め合わされるフード部２３と、フード部２３内に配されるとともに雌コネクタ１２と係わり合う係合部４２を有するムービングプレート３８と、を有し、ムービングプレート３８は、複数の雄端子１６に設けられ複数の雄端子１６を短絡させる短絡端子２８に接触して短絡を解除させる解除部材４７を有する。
【００６３】
上記の構成によれば、フード部２３によって解除部材４７を保護できる。これにより雄コネクタ１１および雌コネクタ１２のいずれに短絡端子２８が配された場合でも、短絡状態を解除する解除部材４７を雄コネクタ１１に配設できる。
【００６４】
本実施形態によれば、雄コネクタ１１は、複数の雄端子１６と接触して複数の雄端子１６を短絡させる短絡端子２８を有する。このように雄コネクタ１１に短絡端子２８が配されて複数の雄端子１６同士が短絡された場合でも、複数の雄端子１６の短絡状態を解除する解除部材４７を雄コネクタ１１に配設できる。
【００６５】
本実施形態によれば、フード部２３内に配された雄端子１６の位置決めをするムービングプレート３８に解除部材４７が配設されている。これにより、ムービングプレート３８と異なる部材に解除部材４７を配設する場合に比べて、部品点数を減少させられる。
【００６６】
本実施形態によれば、解除部材４７は、雄コネクタ１１と雌コネクタ１２とが嵌め合わされる嵌合方向に沿って移動可能な状態でムービングプレート３８に配されている。
【００６７】
上記の構成によれば、解除部材４７の移動量を調整することにより、解除部材４７と短絡端子２８とが接触するタイミングを容易に調整できる。
【００６８】
本実施形態によれば、雄コネクタ１１には、ムービングプレート３８と対向する領域に、解除部材４７が挿通される雄側挿通孔３０が貫通されており、ムービングプレート３８には、雄側挿通孔３０に対応する位置に、解除部材４７が挿通される解除部材挿通孔４４が貫通されており、雄側挿通孔３０の孔縁部には傾斜面を有する雄側ガイド凹部３１が設けられており、解除部材挿通孔４４の孔縁部には傾斜面に対応する形状を有して雄側ガイド凹部３１に嵌る雄側ガイド凸部４５が設けられている。
【００６９】
上記の構成によれば、雄側ガイド凹部３１に雄側ガイド凸部４５が嵌ることにより、雄側挿通孔３０と解除部材挿通孔４４とが整合するようになっている。これにより、解除部材４７は、解除部材挿通孔４４、および雄側挿通孔３０内をスムーズに移動できる。
【００７０】
本実施形態にかかるコネクタ１０は、雄コネクタ１１と、雄コネクタ１１に嵌め合わされる雌コネクタ１２とを、備える。これにより、短絡端子２８が配された雄コネクタ１１を備えたコネクタ１０を得ることができる。
【００７１】
本実施形態によれば、雌コネクタ１２には、ムービングプレート３８と対向する領域に、解除部材４７が挿通される雌側挿通孔２０が貫通されており、ムービングプレート３８には、雌側挿通孔２０に対応する位置に、解除部材４７が挿通される解除部材挿通孔４４が貫通されており、雌側挿通孔２０の孔縁部には傾斜面を有する雌側ガイド凹部２１が設けられており、解除部材挿通孔４４の孔縁部には傾斜面に対応する形状を有して雌側ガイド凹部２１に嵌る雌側ガイド凸部４６が設けられている。
【００７２】
上記の構成によれば、雌側ガイド凹部２１に雌側ガイド凸部４６が嵌ることにより、雌側挿通孔２０と解除部材挿通孔４４とが整合するようになっている。これにより、解除部材４７は、解除部材挿通孔４４、および雌側挿通孔２０内をスムーズに移動できる。
【００７３】
＜実施形態２＞
次に、本開示の実施形態２が図１０から図１４を参照しつつ説明される。図１０に示されるように、本実施形態にかかる雄コネクタ１１に設けられた雄側凹部２９の内部には、短絡端子２８は収容されていない。本実施形態にかかる雌コネクタ１２に設けられた雌側凹部１９の内部には、短絡端子２８が収容されている。本実施形態にかかる短絡端子２８は、接触片３３が後方を向く姿勢で、雄側凹部２９内に収容されている。短絡端子２８が、左右方向に隣り合う雌端子１４同士に接触することで、隣り合う雌端子１４同士が電気的に短絡されるようになっている。このように短絡端子２８は左右方向に隣り合う雌端子１４に接触するように設けられている。短絡端子２８は、雌ストッパ１８に後方から突き当たることにより、前止まり状態で雌側凹部１９内に保持されている。
【００７４】
上記以外の構成については、実施形態１とほぼ同様なので、同一部材については同一符号を付し、重複する説明を省略する。
【００７５】
［雄コネクタ１１と雌コネクタ１２との嵌め合わせ工程］
続いて、雄コネクタ１１と雌コネクタ１２との嵌め合わせ工程の一例が説明される。雄コネクタ１１と雌コネクタ１２との嵌め合わせ工程は以下の記載に限定されない。
【００７６】
図１０には、雄コネクタ１１と雌コネクタ１２とが前後方向について離間している状態が示される。雌コネクタ１２に配された短絡端子２８の接触片３３は、雌端子１４に形成された接続筒部２５の上壁に上方から接触している。これにより、左右方向に隣り合う雌端子１４同士が電気的に接続され、短絡されている。
【００７７】
図１１には、雌コネクタ１２がやや後方に移動した状態が示される。雌コネクタ１２とムービングプレート３８とは離間している。解除部材４７の前端部は、雌ストッパ１８の内部に進入している。解除部材４７の前端部は短絡端子２８の接触片３３と離間している。雄タブ１５の先端は雌コネクタ１２と離間している。短絡端子２８の接触片３３は雌端子１４の上壁と接触している。
【００７８】
図１２には、雌コネクタ１２が後方に移動して、雌コネクタ１２とムービングプレート３８とが接触している状態が示される。図には詳細に示さないが、雌コネクタ１２の被係合部２２はムービングプレート３８の係合部４２の内側に嵌り込んでいる。解除部材４７の前端部は、雌ストッパ１８を貫通して、短絡端子２８の接触片３３に接触している。これにより、雄コネクタ１１およびムービングプレート３８が後方に移動することに伴って、解除部材４７が接触片３３に押されて後方に移動するようになっている。解除部材４７の前端部は、雄ストッパ２７の内部に入り込んでいる。解除部材４７の前端部は、雄側凹部２９の内壁と離間している。短絡端子２８の接触片３３は雄端子１６の上壁に接触している。雄端子１６に設けられた雄タブ１５は、雌端子１４の接続筒部２５と離間している。
【００７９】
図１３には、レバー３５が更に回転されて、雌コネクタ１２およびムービングプレート３８が後方に更に移動した状態が示される。解除部材４７の前端部は、雌ストッパ１８を貫通して、短絡端子２８の接触片３３に接触している。雄コネクタ１１の雄側凹部２９の内壁に、解除部材４７の後端部が接触している。これにより、雌コネクタ１２およびムービングプレート３８が後方に更に移動した場合でも、解除部材４７が後方に移動しないようになっている。雄タブ１５は接続筒部２５の内部に挿入されている。これにより、雄端子１６と雌端子１４とが電気的に接続される。短絡端子２８の接触片３３は雌端子１４の上壁に接触しており、隣り合う雌端子１４同士は、まだ電気的に短絡されている。
【００８０】
図１４には、レバー３５が更に回転されて、雄コネクタ１１と雌コネクタ１２とが完全に嵌め合わされた状態が示される。上記したように解除部材４７の後端部は雄コネクタ１１の雄側凹部２９の内壁に接触しているので、解除部材４７は後方に移動しないようになっている。レバー３５が回転されることにより、雌コネクタ１２およびムービングプレート３８が後方に移動すると、解除部材４７の前端部は、雌コネクタ１２に配された短絡端子２８の接触片３３と接触して接触片３３を上方に撓み変形させる。これにより接触片３３は雌端子１４と離間する。この結果、左右方向に隣り合う雌端子１４同士は電気的に接続されていない状態になっている。
【００８１】
更に、解除部材４７の絶縁部４８は、接触片３３と雌端子１４との間に介在している。これにより、接触片３３と雌端子１４とが電気的に絶縁された状態になっている。この結果、左右方向に隣り合う雌端子１４同士は電気的に絶縁される。
【００８２】
上記したように、雄タブ１５が接続筒部２５内に挿入されることで、雄端子１６と雌端子１４とが電気的に接続されているので、左右方向に隣り合う雌端子１４同士が電気的に絶縁された状態で、雄端子１６と雌端子１４とが電気的に接続されている。
【００８３】
［本実施形態の作用効果］
本実施形態にかかる雌コネクタ１２は、複数の雌端子１４と接触して複数の雌端子１４を短絡させる短絡端子２８を有する。このように雌コネクタ１２に短絡端子２８が配されて複数の雌端子１４同士が短絡された場合でも、複数の雌端子１４の短絡状態を解除する解除部材４７を雄コネクタ１１に配設できる。
【００８４】
また、本実施形態によれば、解除部材４７の後端部は、雄コネクタ１１に形成された雄側凹部２９の内壁に接触することで後方への移動が規制されるようになっている。これにより、解除部材４７の前端部が接触片３３と接触するタイミングを、雄側凹部２９の形状を調整することにより容易に調整できる。
【００８５】
＜他の実施形態＞
本開示は上記記述および図面によって説明された実施形態に限定されるものではなく、例えば次のような実施形態も本明細書に開示された技術の技術的範囲に含まれる。
【００８６】
（１）解除部材４７が配設される可動部材は、ムービングプレート３８と異なる部材であってもよい。
【００８７】
（２）解除部材４７はムービングプレート３８に固定されていてもよい。解除部材４７はムービングプレート３８と一体に形成されていてもよい。
【００８８】
（３）ムービングプレート３８の本体部３９が係合部とされて、この本体部３９が雌コネクタ１２と接触して係わり合う構成としてもよい。
【００８９】
（４）雄コネクタ１１は雄側ガイド凹部３１を有していなくてもよく、ムービングプレート３８は雄側ガイド凸部４５を有していなくてもよい。
【００９０】
（５）雌コネクタ１２は雌側ガイド凹部２１を有していなくてもよく、ムービングプレート３８は雌側ガイド凸部４６を有していなくてもよい。
【００９１】
（６）雄コネクタ１１の雄側凹部２９内に短絡端子２８が配されるとともに、雌コネクタ１２の雌側凹部１９内に短絡端子２８が配される構成としてもよい。
【００９２】
（７）１つの雄コネクタ１１に複数の短絡端子２８が配設される構成としてもよい。１つの雌コネクタ１２に複数の短絡端子２８が配設される構成としてもよい。
【００９３】
（８）雄コネクタ１１および雌コネクタ１２は、電線１７が接続される構成としたが、これに限られず、回路基板に接続されてもよく、機器に接続されてもよく、任意の部材に接続されることができる。
【符号の説明】
【００９４】
１０：  コネクタ
１１：  雄コネクタ
１２：  雌コネクタ
１３：  雌キャビティ
１４：  雌端子
１５：  雄タブ
１６：  雄端子
１７：  電線
１８：  雌ストッパ
１９：  雌側凹部
２０：  雌側挿通孔
２１：  雌側ガイド凹部
２２：  被係合部
２３：  フード部
２４：  雄キャビティ
２５：  接続筒部
２６：  後壁
２７：  雄ストッパ
２８：  短絡端子
２９：  雄側凹部
３０：  雄側挿通孔
３１：  雄側ガイド凹部
３２：  基板
３３：  接触片
３４：  軸部
３５：  レバー
３６：  側板
３７：  カム溝
３８：  ムービングプレート
３９：  本体部
４０：  周壁部
４１：  導入溝
４２：  係合部
４３：  位置決め孔
４４：  解除部材挿通孔
４５：  雄側ガイド凸部
４６：  雌側ガイド凸部
４７：  解除部材
４８：  絶縁部
４９：  レール部
５０：  撓み空間
５１：  撓み部
５２：  係止爪
【図１】
2020149869.tif 000003
【図２】
2020149869.tif 000004
【図３】
2020149869.tif 000005
【図４】
2020149869.tif 000006
【図５】
2020149869.tif 000007
【図６】
2020149869.tif 000008
【図７】
2020149869.tif 000009
【図８】
2020149869.tif 000010
【図９】
2020149869.tif 000011
【図１０】
2020149869.tif 000012
【図１１】
2020149869.tif 000013
【図１２】
2020149869.tif 000014
【図１３】
2020149869.tif 000015
【図１４】
2020149869.tif 000016